(57)【要約】      （修正有）【課題】再帰反射材が被覆層により被覆された、偽造防止用の再帰反射性印刷物を提供する。【解決手段】基材層２と、該基材層２の上に積層され、光を入射方向に反射する再帰反射層３とを備える再帰反射性印刷物１において、前記再帰反射層３の前記基材層２側とは反対の面側に、前記再帰反射層３を被覆すると共に、該再帰反射層３へ光を透過する被覆層５が備えられ、前記被覆層５は、可視域で黒色を呈し、且つ、前記可視域の内の任意の５０ｎｍの波長範囲における反射率（％値）の最大値と最小値の差が５０ポイント以上を有する特定可視域の色を反射する特定可視域光反射黒インキからなる。【選択図】図１
2019048397.tif 000002
【特許請求の範囲】
【請求項１】
基材層と、該基材層の上に積層され、光を入射方向に反射する再帰反射層とを備える再帰反射性印刷物において、
前記再帰反射層の前記基材層側とは反対の面側に、前記再帰反射層を被覆すると共に、該再帰反射層へ光を透過する被覆層が備えられ、
前記被覆層は、可視域で黒色を呈し、且つ、前記可視域の内の任意の５０ｎｍの波長範囲における反射率（％値）の最大値と最小値の差が５０ポイント以上を有する特定可視域の色を反射する特定可視域光反射黒インキからなることを特徴とする偽造防止用の再帰反射性印刷物。
【請求項２】
前記特定可視域は、４００乃至４５０ｎｍの波長範囲、若しくは６５０乃至７００ｎｍの波長範囲であることを特徴とする請求項１の偽造防止用の再帰反射性印刷物。
【請求項３】
基材層と、該基材層の上に積層され、光を入射方向に反射する再帰反射層と、前記再帰反射層の前記基材層側とは反対の面側に、前記再帰反射層を被覆すると共に、該再帰反射層へ光を透過する被覆層と、を備え、前記被覆層は、可視域で黒色を呈し、且つ、前記可視域の内の任意の５０ｎｍの波長範囲における反射率（％値）の最大値と最小値の差が５０ポイント以上を有する特定可視域の色を反射する特定可視域光反射黒インキからなるものである印刷物の真贋判定方法であって、
前記被覆層の露出面が呈する色を観察／検出する第１観測工程と、
前記被覆層に向けて、前記再帰反射層に再帰反射させる光を照射する照射工程と、
該照射工程により照射される光が前記被覆層を透過し、前記再帰反射層で再帰反射される状態において、前記被覆層の露出面が呈する色を観察／検出する第２観察工程と、
前記第１観察工程で観察／検出された色と、前記第２観察工程で観察／検出された色と、の差を観察／検出する差分検出工程と、
該差分検出工程により観察／検出された色の差に基づいて印刷物の真贋を判定する判定工程と、
を含むことを特徴とする印刷物の真贋判定方法。
【発明の詳細な説明】
【技術分野】
【０００１】
本発明は、偽造防止を目的とした再帰反射性印刷物、及びそれを用いた真贋判定方法に関する。
【背景技術】
【０００２】
偽造防止技術の一例として、近年、再帰反射材を偽造防止用途として利用したものが提案されるようになった。
【０００３】
例えば、特許文献１では、印刷用基材、反射材を含む反射材印刷層、および球状透明体を含む球状透明体印刷層の順で具備し、且つ前記球状透明体の平均粒径が１０μｍ以上５０μｍ未満である偽造防止用の再帰反射性印刷物が開示されている。
【０００４】
この再帰反射性印刷物によると、再帰反射性のデザイン（文字、図形、絵柄等）を低コストで得ることができるばかりでなく、平均粒径が１０μｍ以上５０μｍ未満とする比較的小さい粒径の透明球状体が用いられることで、前記透明球状体印刷層の表面粗さを低くできるので、手で触っても前記透明球状体印刷層の存在が分かりにくいことから、偽造防止対策が施されているかが分かりにくくすることができる。
【０００５】
しかも、このように構成された再帰反射性印刷物は、カメラ付きの携帯電話又はスマートフォンのフラッシュ用の光源で照射しながらディスプレイ越しに観察することで、再帰反射を確認できることから、専用の判定具を用いることなく簡単且つ正確に真贋判定を行うことができる。
【先行技術文献】
【特許文献】
【０００６】
【特許文献１】特開２０１７−０１９１４４号公報
【発明の概要】
【発明が解決しようとする課題】
【０００７】
ところが、前記再帰反射性印刷物のように、前記透明球状体印刷層の存在が分かりにくい構成を採用したとしても、完全にその存在を隠すことができず、何らかの偽造防止対策が施されていることが疑われる虞があった。
【０００８】
また、この再帰反射性印刷物の真贋判定方法として、カメラ付きの携帯電話又はスマートフォンのフラッシュ用の光源を用いて再帰反射性を簡単に確認できるようにしたことにより、真贋判定にカメラ付きの携帯電話又はスマートフォンを用いていることが分かってしまえば、だれでも容易に再帰反射性のデザインを見ることができてしまうといった問題があった。
【０００９】
更に言えば、印刷物の偽造を画策している者が、再帰反射性のデザインを分かってしまえば、入手した再帰反射性印刷物と同程度の表面の粗さとなるように透明球状体の粒径などを適切に選択すれば、再帰反射性印刷物の偽造ができてしまう虞があった。
【００１０】
そこで、本発明では、偽造防止のために再帰反射材が被覆層により被覆された再帰反射性印刷物、及びその真贋判定方法を提供することを目的とする。特に本願発明は、偽造防止のために再帰反射材が被覆層により被覆された構成であっても、カメラ付きの携帯電話又はスマートフォンなどを使って簡単且つ正確に真贋判定が行える再帰反射性印刷物、及びその真贋判定方法を提供することを目的とする。
【課題を解決するための手段】
【００１１】
本願発明に係る偽造防止用の再帰反射性印刷物は、本願発明人が研究した結果に基づいて考えられた構成であり、基材層と、該基材層の上に積層され、光を入射方向に反射する再帰反射層とを備える再帰反射性印刷物において、前記再帰反射層の前記基材層側とは反対の面側に、前記再帰反射層を被覆すると共に、該再帰反射層へ光を透過する被覆層が備えられ、前記被覆層は、可視域で黒色を呈し、且つ、前記可視域の内の任意の５０ｎｍの波長範囲における反射率（％値）の最大値と最小値の差が５０ポイント以上を有する特定可視域の色を反射する特定可視域光反射黒インキからなることを特徴とする偽造防止用の再帰反射性印刷物である。
【００１２】
上述した本願発明にあって、前記特定可視域は、４００乃至４５０ｎｍの波長範囲、若しくは６５０乃至７００ｎｍの波長範囲であることを特徴とする構成が提案される。
【００１３】
本願発明は、基材層と、該基材層の上に積層され、光を入射方向に反射する再帰反射層と、前記再帰反射層の前記基材層側とは反対の面側に、前記再帰反射層を被覆すると共に、該再帰反射層へ光を透過する被覆層と、を備え、前記被覆層は、可視域で黒色を呈し、且つ、前記可視域の内の任意の５０ｎｍの波長範囲における反射率（％値）の最大値と最小値の差が５０ポイント以上を有する特定可視域の色を反射する特定可視域光反射黒インキからなるものである印刷物の真贋判定方法であって、前記被覆層の露出面が呈する色を観察／検出する第１観測工程と、前記被覆層に向けて、前記再帰反射層に再帰反射させる光を照射する照射工程と、該照射工程により照射される光が前記被覆層を通過し、前記再帰反射層で再帰反射される状態において、前記被覆層の露出面が呈する色を観察／検出する第２観察工程と、前記第１観察工程で観察／検出された色と、前記第２観察工程で観察／検出された色と、の差を観察／検出する差分検出工程と、該差分検出工程により観察／検出された色の差に基づいて印刷物の真贋を判定する判定工程と、を含むことを特徴とする印刷物の真贋判定方法真贋判定方法である。
【発明の効果】
【００１４】
本願発明における前記被覆層として用いられる前記特定可視域光反射黒インキは、通常光源下では黒色に見えるが、該特定可視域光反射黒インキに向けて、専用の光源から前記特定可視域に対応する波長の光を照射すると、通常とは異なる特定可視域の反射光が観察され、前記専用の光源から光を照射する前の色と照射後の色の差で真贋を判定することができる。
【００１５】
一方、前記特定可視域光反射黒インキについて本願発明人が鋭意研究したところによると、前記特定可視域光反射黒インキが印刷された印刷物の背面から指向性の強い光を照射した状態で、当該印刷物の表面側から前記特定可視域光反射黒インキの露出面を観察すると、前記印刷物を透過した光により、前記露出面において前記特定可視域の色が観察できることを見出した。つまり、専用の光源を使わなくても、印刷物の背面側から指向性の強い光を照射すれば、前記露出面が呈する色の変化を観察することで真贋の判定が可能であるとの知見を得たのである。
【００１６】
そこで本願発明人はこの知見に基づき、前記基材層と、該基材層の上に積層され、光を入射方向に反射する再帰反射層とを備える再帰反射性印刷物において、前記再帰反射層の前記基材層側とは反対の面側に、前記再帰反射層を被覆すると共に、該再帰反射層へ光を透過する前記特定可視域光反射黒インキからなる前記被覆層を備えた構成とすることにより、該被覆層に背面（露出面とは反対の面）から光を照射する手段として前記再帰反射層を用いれば、該再帰反射層で再帰反射される再帰反射性の光によって真贋判定ができることに思い至った。
【００１７】
このような構成からなる本願発明に係る偽造防止用の再帰反射性印刷物によると、前記再帰反射層を覆うように前記被覆層を設けたことにより、該被覆層により隠された前記再帰反射層の存在を判り難くするばかりでなく、再帰反射性のデザインの判別を難しくさせることができるので、前記被覆層の存在は、印刷物を偽造しようとする者に、該被覆層により覆われた前記再帰反射層が偽造防止対策として施されたものであると誤認させることができ、前記被覆層に偽造防止対策なされていることを判り難くすることができる。
【００１８】
前記再帰反射層の存在や再帰反射性のデザインが判明し、前記再帰反射層と同様なものを複製できたとしても、本願発明を構成する前記被覆層に用いられるインキは、可視域で黒色を呈し、且つ、前記可視域の内の任意の５０ｎｍの波長範囲における反射率（％値）の最大値と最小値の差が５０ポイント以上を有する特定可視域の色を反射する特定可視域光反射黒インキからなる特殊黒インキであって、限定された一部の波長域における反射に顕著な変化をみせるようにしているから、複製された再帰反射層を覆う被覆層を、複数の色を混ぜ合わせて作成する混合黒インキや、カーボンブラックを使用した一般的な黒インキで作成したとしても、本発明のように、可視域の内の特定可視域における変化を観察可能な特性を持たせることは困難であるので、印刷物の偽造を困難化することができる。
【００１９】
このように構成された前記再帰反射性印刷物に対する真贋判定は、本願発明人が見出した知見に基づいた方法により行うことができる。つまり、前記被覆層の背面（露出面とは反対の面）に指向性の強い光を照射する手段として前記再帰反射層を利用するものである。具体的には、本願発明の前記再帰反射層を前記被覆層で覆った構成において、スマートフォンのフラッシュやＬＥＤライトなどを光源として、前記被覆層の露出面に向けて指向性の強い光を照射し、前記被覆層を透過した光が前記再帰反射層で再帰反射される状態にすると、再帰反射性の光が前記被覆層を透過し入射方向に戻ることで、前記被覆層の露出面で前記特定可視域の色が観察できる、とする知見に基づく判定方法である。この場合も、再帰反射させない場合とさせた場合の色の差を観察することで真贋判定を行うことができる。この知見に基づいた真贋判定方法は、専用の光源を用いることなく、普及の著しいスマートフォンなどが利用できる。従って、誰でも、簡単且つ正確に真贋判定を行うことができる利便性を有した偽造防止用の再帰反射性印刷物を提供できる。
【００２０】
また、上述した本願発明に係る偽造防止用の再帰反射性印刷物によれば、前記特定可視光域黒反射インキが有する前記特定可視域を、可視域の内の、人の目が明るさを感じる感度が低い４００乃至４５０ｎｍの波長範囲、若しくは６５０乃至７００ｎｍの波長範囲としたことにより、スマートフォンなどの一般的な装置を使った真贋判定方法であっても、再帰反射がされない状態と、再帰反射がされた状態と、の前記被覆層が呈する色の変化の差が大きくなるから、真贋判定を容易にすることができる。例えば、前記特定可視域光反射黒インキが６５０ｎｍ乃至７００ｎｍの波長範囲を前記特定可視域とするものである場合、自然光や室内照明などの通常光源下の再帰反射されない状態では、該被覆層において前記特定可視域として赤色の反射が有ったとしても人の目では検知されず、前記被覆層の露出面は黒色を呈する。一方、スマートフォンなどのフラッシュを光源にして再帰反射された状態では、再帰反射性の光が前記被覆層を透過し入射方向に戻ることで、前記被覆層の露出面において、再帰反射性の光が前記特定可視域である赤色を呈するので、再帰反射の有無による色の変化をより明確にすることができる。従って、人の目であっても、簡単且つ正確に真贋判定を行うことができる偽造防止用の再帰反射性印刷物を提供できる。
【００２１】
本願発明に係る偽造防止用の再帰反射性印刷物によると、先ず、自然光や室内照明などの通常の光源下で前記被覆層が黒色であることを確認し、次に、スマートフォンなどのフラッシュを光源にしたり、指向性の強いＬＥＤ（Ｌｉｇｈｔ  Ｅｍｉｔｔｉｎｇ  Ｄｉｏｄｅ）ライトを光源にしたりして、これらの光が前記再帰反射層で再帰反射される状態を作り出し、この状態で、前記被覆層を撮影した撮影画像や動画を見たり、或いは人の目で前記被覆層を直接見たりすることで色の変化を観察し、色に違いがあれば本物、違いが無ければ偽物と直感的に判定することができる。従って、誰でも簡単且つ正確に真贋判定を行うことができる印刷物の真贋判定方法を提供できる。
【００２２】
また、前記被覆層の露出面が呈する色を検出する第１観測工程と、前記被覆層に向けて、前記再帰反射層に再帰反射させる光を照射する照射工程と、該照射工程により照射される光が前記被覆層を透過し、前記再帰反射層で再帰反射される状態において、前記被覆層の露出面が呈する色を検出する第２観察工程と、前記第１観察工程で検出された色と、前記第２観察工程で検出された色と、の差を検出する差分検出工程と、該差分検出工程により検出された色の差に基づいて印刷物の真贋を判定する判定工程と、を含むアプリケーションプログラムをスマートフォンなどに導入することで、真贋判定を当該アプリケーションプログラムにより行うことができる。従って、より精密な真贋判定を行うことができる印刷物の真贋判定方法を提供できる。
【００２３】
このアプリケーションプログラムを用いる場合、前記第１観察工程で検出される色と、前記第２観察工程で検出される色と、の差が小さくなった場合でも、検出された色に信号処理などを施すなどにより色の差を正確に判定できるように構成すれば、上述したように特定可視域として６５０ｎｍ乃至７００ｎｍの波長領域や４００乃至４５０ｎｍの波長領域の反射を利用するだけでなく、例えば５９０ｎｍ乃至６４０ｎｍ（橙色）の波長範囲の反射を利用するなど、前記特定可視域として、可視域の内の任意の５０ｎｍの波長範囲に設定できる。
【図面の簡単な説明】
【００２４】
【図１】本願発明の偽造防止対策がなされた再帰反射性印刷物１の一実施形態を説明するための積層構造を示す図である。
【図２】本願発明の再帰反射性印刷物１において、被覆層５として用いられる特定可視域光反射黒インキ（図中では特殊黒インキと表記）の可視域における反射率の特性と、複数の色を混ぜ合わせて作成した混合黒インキ、及びカーボンブラックを使用した一般黒インキの可視域における反射率の特性の違いを説明するための分光反射率曲線の一例である。
【図３】本願発明の再帰反射性印刷物１の真贋判定方法の一例として、撮影装置（スマートフォン）２０を使ったフラッシュ撮影による真贋判定方法を説明するための図である。
【図４】図１に例示する再帰反射性印刷物１を、図３の真贋判定方法を用いて撮影した撮影画像の一例を説明するための図であり、（ａ）はフラッシュ撮影にて撮影した撮影画像、（ｂ）は通常の光源下にて撮影した撮影画像である。
【図５】図１に例示する再帰反射性印刷物１の、（ａ）は変形例１である再帰反射性印刷物１Ａの積層構造を説明する図であり、（ｂ）は変形例２である再帰反射性印刷物１Ｂの積層構造を説明する図である。
【発明を実施するための形態】
【００２５】
本願に係る発明（以下「本発明」と称す）からなる偽造防止用の再帰反射性印刷物１について、図１を用いて説明する。図１は本発明の再帰反射性印刷物１の一実施形態を説明するための積層構造を示す。尚、以下の説明において特に明示した場合を除き、図１において示される再帰反射性印刷物１を基準とし、印刷物の表面、表側は図の上側のことを示し、裏面、裏側は図の下側のことを示す。
【００２６】
図１を参照すると、本発明に係る偽造防止用の再帰反射性印刷物１は、基材層２と、該基材層２の上に積層され、光を入射方向に反射する再帰反射層３と、前記再帰反射層３の前記基材層２側とは反対の面側に、前記再帰反射層３を被覆すると共に、該再帰反射層３へ光を透過する被覆層５からなる。また、この実施形態では、前記再帰反射層３と前記被覆層５の間には、保護層４が存在している。尚、前記被覆層５は光を透過すると記載したが、ここに記載した透過を含め、以下の説明で使用される透過とは、当該被覆層５が光を減衰させながら通すことを示している。
【００２７】
前記再帰反射性印刷物１は、前記再帰反射層３を前記被覆層５で被覆する構成としたことにより、自然光、室内照明光など（以下、通常光源と記載する）の条件下では、前記再帰反射層３は再帰反射を起こさないので、前記被覆層５により前記再帰反射層３の存在が判別できない、或いは判り難い構成となっている。
【００２８】
一方、前記再帰反射性印刷物１は、前記被覆層５により前記再帰反射層３を被覆したものであっても、前記被覆層５は光を減衰させながらも透過することから、該被覆層５に向けて指向性の強い光を照射すると、照射された光は、前記再帰反射層３の部分において、光の入射方向に再帰反射されるので、前記被覆層５の露出面では再帰反射性の光が確認できる。
【００２９】
《再帰反射性印刷物の構成》
次に、図１を基に本発明に係る偽造防止用の再帰反射性印刷物１の構成を具体的に説明する。
【００３０】
［基材層］
基材層２は、印刷によって層が形成できるものであれば紙基材や樹脂材などでもよく、特に限定されるものではない。尚、この基材層２の表面には図柄や文字などが印刷により形成される。
【００３１】
［再帰反射層］
再帰反射層３は、周知の再帰反射インキが使用できる。この再帰反射インキの基本的な構造は、レンズとして作用する微小な高屈折ガラスビーズ３ａを反射材として、該ガラスビーズ３ａがインキ３ｂ中に均一に多数配置された構造からなる。前記再帰反射層３は、このような構造からなる再帰反射インキを前記基材層２に印刷することにより形成することができる。印刷方法としては特に限定されないが、シルクスクリーン印刷などにより、任意の再帰反射性のデザインを得ることができる。尚、本発明の実施形態における再帰反射インキは、粒径が３０乃至７０μｍのガラスビーズからなる。この粒径は、小さいほど印刷適性に優れ、高精細な印刷を可能とすると共に、再帰反射層３の表面の粗さを低く抑えることができるが、小さすぎると再帰反射が弱く、十分な輝度が得られないため再帰反射性が確認できない虞がある。
【００３２】
前記再帰反射層３は、上記の再帰反射インキに限定されるものではなく、例えば、図５（ｂ）で変形例２として示された再帰反射性印刷物１Ｂのように、反射材を含む反射材印刷層３０ｃと、ガラスビーズ３０ａを含むガラスビーズ印刷層３０ｂからなる構造の再帰反射層４０であっても良い。
【００３３】
［保護層］
保護層４は、ポリカーボネート、ポリエチレンテレフタレート、ポリ塩化ビニルなどからなる透明フィルムである。この透明フィルムは、主に前記基材層２に印刷された図柄や文字、前記再帰反射層３などを保護するために設けられている。尚、この保護層４に文字などを印刷しても良いことは言うまでもない。
【００３４】
［被覆層］
被覆層５は、可視域で黒色を呈し、且つ、前記可視域の内の任意の５０ｎｍの波長範囲における反射率（％値）の最大値と最小値の差が５０ポイント以上を有する特定可視域の色を反射する特定可視域光反射黒インキからなる。前記被覆層５は、前記特定可視域光反射黒インキをUVオフセット印刷、シルクスクリーン印刷などで前記保護層４上に印刷することにより形成できる。尚、本発明の実施形態における被覆層５は、UVオフセット印刷で形成したものであり、その層厚は1乃至５μｍである。
【００３５】
図２を参照して、前記特定可視域光反射黒インキについて詳しく説明する。図２は該特定可視域光反射黒インキ（図中では特殊黒インキと表記）の可視域における反射率の特性（実線で示された曲線）と、複数の色を混ぜ合わせて作成した混合黒インキ（破線で示された曲線）、及びカーボンブラックを使用した一般黒インキ（点線で示された曲線）の可視域における反射率の特性と、の違いを説明するための分光反射率曲線の一例である。尚、上記の混合黒インキ、及び一般黒インキについての具体的な説明は後述する。
【００３６】
図２の分光反射率曲線によると、この例における前記特定可視域光反射黒インキの反射率は、３００ｎｍ〜６５０ｎｍの波長範囲において極めて低く、６５０ｎｍを超える波長では、急激に反射率が高くなる特性を有する。
【００３７】
ところで、光に対する人の目の感度である視感度は波長によって異なる。人の目が最大感度となる波長は５５５ｎｍ付近の光（明るい場所の場合）であり、その波長の光をもっとも強く感じることができるが、これより波長が長くても短くても、徐々に視感度が低下する。特に、６５０ｎｍより長い波長や、４００ｎｍより短い波長の光は、人の目が明るさを感じる感度が極めて低く、肉眼で感じることは困難であることが分かっている。
【００３８】
このため、図２に示される分光反射率曲線を有する前記特定可視域光反射黒インキは、特定可視域の赤色を反射するものの、通常光源下では黒色を呈する。尚、以下の説明を簡単にするため、特定可視域として反射する色を「赤色」と記載したが、実際には赤色の波長範囲であっても、波長により赤色に違いがあることは言うまでもない。
【００３９】
一方、図２に示される分光反射率曲線を有する前記特定可視域光反射黒インキは、前記特定可視域に対応する波長の光を照射することで、通常の黒インキ（上述の混合黒インキ、カーボンブラックを使用した黒インキなど）とは異なった反射光を返す。具体的には、通常光源下では黒色に見えるが、専用の光源から前記特定可視域に対応する波長の光を照射することで、前記特定可視域の反射光として赤色が観察される。
【００４０】
この為、前記特定可視域光反射黒インキに求められる特性は、上述した色の変化を一層明確にするため、通常光源下では黒色に見えるよう、人の目が明るさを感じる感度が良い波長範囲は反射率を極めて低くし、前記特定可視域の波長範囲は、該特定可視域に対応する波長の光を照射したときに、反射光である赤色が確りと反射するように高い反射率を有することが求められる。
【００４１】
ここで、前記特定可視域の赤色の波長範囲について説明する。一般的に赤色を示す波長であっても、波長が長くなるに従って徐々に黒っぽくなって、人の目では認識し難くなっていく、従って本発明では、赤色が確りと反射するものの、人の目の感度が極めて低い波長として、その上限を７００ｎｍと定めた。一方、７００ｎｍより波長が短くなると、赤色から徐々に橙色に変化し、しかも人の目の感度が徐々に上がってくる。そこで本発明では、赤色を示す波長領域の内で、人の目の感度がそれほど高くない波長として、下限を６５０ｎｍと定めた。
【００４２】
更に本発明では、前記特定可視域として赤色を確りと反射させることができるよう、６５０乃至７００ｎｍの波長範囲における反射率（％値）の最大値と最小値の差が５０ポイント以上を有することを定めた。これにより赤色が確り反射するので、黒色から赤色への変化の差が大きくできる。尚、この差は５０ポイントより小さくても良いが、黒から赤色の変化の差の判定がし難くなるので、５０ポイント以上を有することが望ましい。
【００４３】
図２によく示されているように、この実施形態における前記特定可視域光反射黒インキの反射率は、３００ｎｍ〜６５０ｎｍの波長範囲において極めて低く、特定可視域としての６５０ｎｍ乃至７００ｎｍの波長範囲では急激に高くなる。６５０ｎｍにおいて反射率が５％に満たないものが、７００ｎｍでは略７０％と高い値を示しており、上述した特性を満足していることが分かる。
【００４４】
一方、上述のような特性を有する前記特定可視域光反射黒インキについて、本願発明人が鋭意研究したところによると、前記特定可視域光反射黒インキが印刷された印刷物の背面から指向性の強い光を照射した状態で、当該印刷物の表面側から前記特定可視域光反射黒インキの露出面を観察すると、前記印刷物を透過した光により、前記露出面において前記特定可視域の色が観察できることを見出した。つまり、上述の前記特定可視域に対応する波長の光を照射する専用の光源を使わなくても、印刷物の背面側から指向性の強い光を照射すれば、前記露出面が呈する色の変化を観察することが可能であるとの知見を得た。
【００４５】
この知見により、図２に示される特性を有した前記特定可視域光反射黒インキの場合、専用の光源から光を照射する方法でも、指向性の強い光を裏面から照射する方法でも、光の照射の前後で黒色から赤色に変化するのが観察されることが分かった。
【００４６】
ここで、専用の光源から光を照射する方法と、指向性の強い光を裏面から照射する方法の色の変化について詳しく説明する。専用の光源から光を照射する方法では、前記特定可視域光反射黒インキの本来の色である黒色から、光が照射された領域全体が、反射光による赤色へと変化するのが観察される。これに対して、指向性の強い光を裏面から照射する方法では、前記特定可視域光反射黒インキの本来の色である黒色と、該特定可視域光反射黒インキを透過した光が呈する赤色と、で色の変化が観察される。
【００４７】
本願発明人はこの知見に基づき、前記基材層２と、該基材層２の上に積層され、光を入射方向に反射する再帰反射層３とを備える再帰反射性印刷物において、前記再帰反射層３の前記基材層２側とは反対の面側に、前記再帰反射層３を被覆すると共に、該再帰反射層へ光を透過する前記特定可視域光反射黒インキからなる前記被覆層５を備えさせる構成とし、前記被覆層５の背面に指向性の強い光を照射する手段として前記再帰反射層３を利用する、本発明に係る偽造防止用の再帰反射性印刷物１を思い至ったのである。
【００４８】
《再帰反射性印刷物の製造方法》
本発明に係る印刷防止用の再帰反射性印刷物１は、図柄、文字などの加え、任意の再帰性デザインからなる再帰反射層３がそれぞれ印刷により形成された前記基材層２と、前記再帰反射層３に対応する位置に、該再帰反射層３を被覆する前記被覆層５が印刷により形成された前記保護層４とを、熱圧着や接着剤などの周知の方法により接着を行うことで、図１に示される積層構造は形成される。尚、図１には、前記再帰反射層３と前記被覆層５の間に、前記保護層４が配設された例を示したが、この実施例に限定されるものではなく、たとえば、図５（ａ）において変形例１として示された再帰反射性印刷物１Ａのように、前記被覆層５を前記保護層４にて覆う構成でもよい。また、前記保護層４には、前記被覆層５以外にも、文字や図柄を印刷しても良いことは言うまでもない。
【００４９】
《再帰反射性印刷物の真贋判定方法》
本発明に係る偽造防止用の再帰反射性印刷物１の真贋判定方法について図３を用いて詳しく説明する。図３は本発明に係る再帰反射性印刷物１の真贋判定方法の一例として、撮影装置２０によるフラッシュ撮影を使った真贋判定方法を説明するための図である。尚、既に述べた通り、以下の説明で用いる通常光源とは、自然光や室内照明などを示す。
【００５０】
本発明に係る偽造防止用の再帰反射性印刷物１の真贋判定方法は、前記被覆層５の露出面が呈する色を観察／検出する第１観測工程と、前記被覆層５に向けて、前記再帰反射層３に再帰反射させる光を照射する照射工程と、該照射工程により照射される光が前記被覆層５を透過し、前記再帰反射層３で再帰反射される状態において、前記被覆層５の露出面が呈する色を観察／検出する第２観察工程と、前記第１観察工程で観察／検出された色と、前記第２観察工程で観察／検出された色と、の差を観察／検出する差分検出工程と、該差分検出工程により観察／検出された色の差に基づいて印刷物の真贋を判定する判定工程と、を含む。
【００５１】
図３を参照して具体的に説明する。図３によく示されているように、本発明では、前記再帰反射層３に再帰反射させる光源として、撮像装置２０のフラッシュ用の光源を用いている。尚、以下の説明では、撮像装置２０としてスマートフォンを利用した例を示したが、例えば、ＬＥＤライトのような、指向性の強い光が照射できるものなら何れであっても良い。
【００５２】
［第１観測工程］
先ず、通常光源下において、前記再帰反射層３に再帰反射させる前の、前記被覆層５の露出面５ｂの色を観察する。この観察は目視で行っても良いが、観察結果を残す場合などは、図４（ｂ）に示されるように、通常光源下の状態をスマートフォン２０により撮影した撮影画像として残しても良い。尚、本発明の前記特定可視域光反射黒インキからなる前記被覆層５は、通常光源下では黒色を呈する。
【００５３】
［照射工程］
次に、スマートフォン２０のＬＥＤライト機能を使って照射したり、フラッシュ機能をＯＮにして、前記被覆層５を含む印刷物の表面を撮影したりするなどして、前記被覆層５に向けて指向性の強い光を照射する。
【００５４】
［第２観察工程］
この第２観察工程では、前記照射工程において照射された光が、前記再帰反射層３で再帰反射された状態における前記被覆層５の露出面５ａの色を観察する。図４（ａ）にスマートフォン２０のフラッシュ撮影により撮影された撮影画像を示す。この撮影画像によると、再帰反射された再帰反射性の光１０が、前記特定可視域の赤色がかった色として写り、再帰反射性の光が照射されない領域は黒色として写る。
【００５５】
［差分検出工程］
次に、前記第１観察工程において観察された前記被覆層５の露出面５ｂが呈する色と、前記第２観察工程において観察された前記被覆層５の露出面５ａが呈する色と、の差を観察する。
【００５６】
［判定工程］
前記第１観察工程において観察された前記被覆層５の露出面５ｂが呈する色と、前記第２観察工程において観察された前記被覆層５の露出面５ａが呈する色と、の差があれば本物と判定し、差がなければ偽物と判定する。
【００５７】
本発明の実施例では、前記被覆層５は、図２に示される分光反射率曲線を有する前記特定可視域光反射黒インキにより形成されているため、前記第１観察工程では黒色が観察され、前記第２観察工程では赤色が観察され、その差が明確に確認できることから、スマートフォン２０やＬＥＤライトを使って、誰でも簡単且つ正確に真贋判定を行うことができる。
【００５８】
尚、前記特定可視域は、図２に示される分光反射率曲線を有する前記特定可視域光反射黒インキのように、６５０乃至７００ｎｍの波長範囲に設定することが望ましいが、人の目が明るさを感じる感度が低い４００乃至４５０ｎｍの波長範囲（紫色）に設定しても良い。これは、４００ｎｍより短い波長の光は、人の目が明るさを感じる感度が極めて低く、肉眼で感じることは困難（ほぼ黒色にしか見えない）であることを利用するものであり、人の目には感じ難い紫色が確りと反射する波長範囲を特定可視域とした。この異なる特定可視域を有した前記特定可視域光反射黒インキは、特定可視域の紫色を反射するものの、通常光源下では人の目には紫色が認識できず黒色を呈する。
【００５９】
前記特定可視域として、４００乃至４５０ｎｍの波長範囲、若しくは６５０乃至７００ｎｍの波長範囲を設定すると、再帰反射がされない状態と、再帰反射がされた状態と、の前記被覆層５の露出面が呈する色の変化の差を最も大きくすることができるから、人の目であっても、簡単且つ正確に真贋判定を行うことができる。
【００６０】
これまでスマートフォン２０などを使って、人の目で色の差を観察する真贋判定方法について述べたが、上述の真贋判定の手順を含むアプリケーションプログラムをスマートフォン２０などに導入することで、真贋判定を前記アプリケーションプログラムにおいて行うこともできる。アプリケーションプログラムにより色の差を判定するように構成することで、より精密な真贋判定を行うことができる。
【００６１】
真贋判定をアプリケーションプログラムにおいて行う場合、前記特定可視域として、可視域の内の任意の５０ｎｍの波長範囲を設定することができる。例えば、５９０ｎｍ乃至６４０ｎｍ（橙色）を波長範囲とすることもできる。この波長範囲は人の目が明るさを感じる感度が高くなるので、前記第１観察工程（通常光源）において観察される色は橙色がかった黒色となり、前記第２観察工程（再帰反射）において観察される色は橙色となり、その色の差は小さくなるが、アプリケーションプログラムにおいて、検出された色に信号処理などを施す構成すれば、細かな色の差を正確に判定できる。
【００６２】
次に、上述した真贋判定方法とは異なる判定方法について説明する。これまで、スマートフォンなどの身近な撮像装置２０を使った真贋判定方法を説明したが、前記被覆層５に向けて専用の光源から前記特定可視域に対応する波長の光を照射する方法により真贋判定ができる。この異なる判定方法の主たる変更点は、前記照射工程における光の照射手段が、スマートフォン２０などから専用の光源に代わったものであり、その他は、上述した手順と同様な手順で行うことができる。
【００６３】
この異なる判定方法では、前記被覆層５に向けて専用の光源から前記特定可視域に対応する波長の光を照射すると、前記被覆層５の露出面が前記特定可視域の光を反射し、通常光源下の色（黒色）とは異なる色（上述の例では赤色）を呈するので、この色の差により真贋判定を行うことができる。この異なる判定方法は再帰反射を利用しないので、前記被覆層５に向けて指向性の強い光を照射したり、再帰反射性の光１０を観察するために目線を光軸に合わせたりすることなく、ただ前記被覆層５を専用の光源から照射される光に翳すだけで色の変化を確認できるので、短時間で、しかも正確に色の変化を判定できる利便性を有する。
【００６４】
［撮影結果］
図４を参照し、スマートフォン２０を使った撮影結果について説明する。図４は、図１に例示する再帰反射性印刷物１を、図３の真贋判定方法を用いて撮影した撮影画像の一例を説明するための図であり、（ａ）はフラッシュ撮影にて撮影した撮影画像、図４（ｂ）は通常光源下にて撮影した撮影画像である。
【００６５】
図４（ｂ）によく示されているように、通常光源下では、前記被覆層５の露出面５ｂは黒色として撮影され、特定可視域の赤色は写り込んでいないことが分かる。即ち、前記第１観察工程で観察するのは前記被覆層５の露出面５ｂの色であり、この例で観察される色は黒色である。
【００６６】
次に、スマートフォン２０を使ってフラッシュ撮影すると、図４（ａ）によく示されているように、前記被覆層５の露出面５ａには、前記再帰反射層３（図４（ａ）中に示した円形の破線は、該再帰反射層３の印刷領域を示すための仮想線である）により再帰反射した再帰反射性の光１０が撮影される。この時、撮影画像に写り込んだ再帰反射性の光１０（つまり、前記被覆層５を透過した光）は、前記特定可視域の反射光の色を呈する。この撮影結果は、図２において実線で示された分光反射率曲線を有した前記特定可視域光反射黒インキを用いた例であるので、前記再帰反射性の光１０は前記特定可視域として赤色が観察される。即ち、前記第２観察工程で観察するのは、詳しくは前記被覆層５の露出面５ａに表れる前記再帰反射性の光１０が呈する特定可視域の色である。
【００６７】
このように、通常光源下で前記被覆層５の露出面５ｂが呈する黒色と、フラッシュ撮影などにより再帰反射させた状態において、前記被覆層５の露出面５ａ（より詳しくは、再帰反射性の光１０）が呈する特定可視域の赤色と、の差が観察されることで本物であることが分かる。
【００６８】
［その他の黒インキの評価］
ここで、図２で例示した、複数の色を混ぜ合わせて作成した混合黒インキ（破線で示される曲線）、若しくはカーボンブラックを使用した一般黒インキ（点線で示される曲線）で前記被覆層５を作成した場合の真贋判定について考える。
【００６９】
図２において破線で示された混合インキの分光反射率曲線を見ると、この混合黒インキは、可視域で黒色を呈し、且つ、７２０ｎｍ乃至７７０ｎｍの波長範囲における反射率（％値）の最大値と最小値の差が５０ポイント以上となる特定可視域を有していることが分かる（図２中に一点破線で示される領域）。しかしながら、既に詳述したように、７００ｎｍを超える波長の光は赤色の領域であっても黒色に近く、しかも、光に対する目の感度である視感度が極めて弱く、７２０ｎｍ乃至７７０ｎｍの波長範囲を特定可視域としても、再帰反射させた状態における前記被覆層５の露出面５ａが呈する色、つまり、再帰反射性の光１０が呈する前記特定可視域の色を観察することが困難なので、真贋判定には使えないことが分かる。
【００７０】
図２において点線で示された一般黒インキの分光反射率曲線を見ると、３００ｎｍ乃至８００ｎｍの全帯域において反射がほとんど無く、再帰反射させた状態における前記被覆層５の露出面５ａが呈する色、つまり、再帰反射性の光１０が特定可視域の色を全く呈しないので、真贋判定には使えないことが分かる。
【００７１】
このように、上述した前記混合黒インキや一般黒インキのような、簡単に入手できる黒インキを用いて前記被覆層５を形成したとしても、前記前記特定可視域光反射黒インキの特長である、可視域の内の特定可視域において変化が観察可能な反射光を持たせることが困難であることから、前記被覆層５の偽造を不可能にすることができる。
【００７２】
更に、本発明に係る偽造防止用の再帰反射性印刷物１によると、前記再帰反射層３を覆うように前記被覆層５を設けたことにより、該被覆層５により隠された前記再帰反射層３の存在を判り難くするばかりでなく、再帰反射性のデザインの判別を難しくさせることができるので、前記被覆層５の存在は、印刷物を偽造しようとする者に、該被覆層５により覆われた前記再帰反射層３が偽造防止対策として施されたものであると誤認させることができ、前記被覆層５に偽造防止対策なされていることを判り難くすることができる。
【符号の説明】
【００７３】
１        再帰反射性印刷物
１Ａ      再帰反射性印刷物（変形例１）
１Ｂ      再帰反射性印刷物（変形例２）
２        基材層
３        再帰反射層
３ａ    ガラスビーズ
３ｂ    インキ
４        保護層
５        被覆層
５ａ    露出面（再帰反射させた状態の露出面）
５ｂ    露出面（通常光源下の露出面）
１０      再帰反射性の光
２０      撮像装置（スマートフォン）
３０      再帰反射層
３０ａ  ガラスビーズ
３０ｂ  ガラスビーズ印刷層
３０ｃ  反射材印刷層
【図１】
2019048397.tif 000003
【図２】
2019048397.tif 000004
【図３】
2019048397.tif 000005
【図４】
2019048397.tif 000006
【図５】
2019048397.tif 000007